(57)【要約】【課題】  マイクロシリンジにおいては、シリンジプランジャーの固化による作動不良を防止し、ガスタイトシリンジにおいては、環境中の揮発性成分の汚染を防止する装置を提供することを目的とするものである。【解決手段】  シリンジ筒部と、洗浄液の入った密封容器が連結でき、シリンジプランジャーが垂直方向に許容範囲内でスライドし、固定できる装置であって、針先が洗浄剤の入った密封容器の密封部材を貫通し、洗浄液を吸引することによりシリンジプランジャー及びシリンジ筒部内壁を洗浄保護できる装置を提供する。【選択図】  図４
2008082935.tif 000002
【特許請求の範囲】
【請求項１】
シリンジ筒部、シリンジプランジャー、針からなる注射器の針穴部分を容器内の洗浄液に浸漬した状態で前記注射器を固定し、
前記シリンジプランジャーのスライド調整により前記シリンジ筒部内に前記洗浄液を吸引し、
前記シリンジプランジャーを固定することにより前記シリンジ筒部内に前記洗浄液を保持する
ことを特徴とする注射器保護ホルダー。
【請求項２】
前記容器が密封部材により密封状態であることを特徴とする請求項１に記載の注射器保護ホルダー。
【請求項３】
前記洗浄液が１種類の有機溶媒あるいは２種類以上の有機溶媒を混合したものであることを特徴とする請求項１または２に記載の注射器保護ホルダー。
【発明の詳細な説明】
【技術分野】
【０００１】
本発明は、内容物の物性によるシリンジプランジャーの固化を防ぎ、シリンジプランジャーの作動を良好に維持し、さらに、シリンジ筒部内を環境中揮発性成分の汚染から守る注射器保護ホルダーに関する。
【背景技術】
【０００２】
従来のマイクロシリンジにおいては、自動サンプリング後に、溶媒によるシリンジ筒部内壁及びプランジャーの洗浄を行なうことが可能な装置は存在しているが、洗浄不足のため洗浄後時間の経過によりシリンジプランジャーが固化し、針先曲がりや強引な作動による作動不良状態すなわち採取量の不安定等の不具合が起こり易いことが知られている。特許文献１は、繰り返しの自動測定時には有効と思われるが、保管時の不具合には対応していないという問題があった。
【０００３】
また、従来のガスタイトシリンジにおいては、時間の経過と共に環境中の雑多な揮発性成分ガスがシリンジ筒部内壁に付着し分析時において、これらの揮発性成分が汚染の原因となり、除去に手間が掛かるという問題があった。
【０００４】
以下に先行技術文献を示す。
【特許文献１】特開昭６３−３０７６１号公報
【発明の開示】
【発明が解決しようとする課題】
【０００５】
本発明は上記の課題を考慮してなされたもので、注射器の保管時や、分析終了後放置することにより起こる、シリンジプランジャーの固化及びシリンジ筒部の作動不良防止、また、環境中の雑多な揮発性成分ガスによる汚染を防ぎ、分析精度の向上を図るため、注射器保護ホルダーを提供することを目的とするものである。
【課題を解決するための手段】
【０００６】
請求項１に記載の発明は、シリンジ筒部、シリンジプランジャー、針からなる注射器の針穴部分を容器内の洗浄液に浸漬した状態で前記注射器を固定し、
前記シリンジプランジャーのスライド調整により前記シリンジ筒部内に前記洗浄液を吸引し、
前記シリンジプランジャーを固定することにより前記シリンジ筒部内に前記洗浄液を保持する
ことを特徴とする注射器保護ホルダーである。
このように、洗浄液を注射器内に保持することにより、内容物によるシリンジプランジャーの固化及びシリンジ筒部内壁への揮発性成分ガスの付着を防止することができる。
【０００７】
請求項２に記載の発明は、前記容器が密封部材により密封状態であることを特徴とする請求項１に記載の注射器保護ホルダーである。
このように、密封部材を設けることにより、容器内の洗浄液の蒸発を最小限に抑えることができる。
【０００８】
請求項３に記載の発明は、前記洗浄液が１種類の有機溶媒あるいは２種類以上の有機溶媒を混合したものであることを特徴とする請求項１または２に記載の注射器保護ホルダーである。
このように、１種類の有機溶媒あるいは２種類以上の有機溶媒を混合した洗浄液を用いることで、洗浄液の選択性が増し、サンプルの物性に応じてサンプルを保持しやすい有機溶媒を選択することができる。これにより、優れた洗浄効果を期待できる。また、従来の洗浄液は、種類によってｐＨの管理など廃棄の際の取り扱いに難があるが、洗浄液を有機溶媒にすることにより、廃棄等の取り扱いを比較的容易に行うことができる。
【発明の効果】
【０００９】
シリンジプランジャーの固化及びシリンジ筒部内の汚染を防止することで、分析精度の向上が期待できる。
【発明を実施するための最良の形態】
【００１０】
図１は注射器の構造図であり、シリンジ筒部２は通常透明な硬質ガラス製で外側に採取または注入量を示す目盛りが記入されており、シリンジプランジャー１を上下することにより、試料の採取または注入が行われる。
【００１１】
本発明に用いられる注射器は、ガラス製で針先部を含めた全体の長さが５〜２５センチのものであり、一般に各種分析サンプリングに用いられるマイクロシリンジ、ガスタイトシリンジと名称されているものである。
また、本発明に用いられる針は、針の先端部に針穴を有する縦穴式の針でも、針の側面部に針穴を有する横穴式の針でもよい。
本発明は、シリンジ筒部の容量が１００μｌぐらいで、針が細く固化しやすいものに特に有効であるが、これらに限定されるものではない。
【００１２】
図２は洗浄液の入った密封容器の概略図である。
本発明に用いられる密封容器としては、ガラス製あるいは透明性の高いプラスチック製で内容物が目で確認できる、内容量１〜２０ｍｌの容器が望ましい。
本発明に用いられる密封部材としては、テフロン（登録商標）、シリコン製の洗浄液による侵食やひび割れ等の劣化の影響を受けにくく、洗浄液が揮発しにくいセプタムが望ましいが、これらに限定されるものではない。
【００１３】
図３は本発明の注射器保護ホルダーの一例であり、図１に示されるような注射器と図２に示されるような洗浄液の入った密封容器が連結できそれぞれを固定し、洗浄液を吸引しシリンジ筒部内を満たしたところでシリンジプランジャーを固定し保つことができる装置である。図４は、図３の本発明の注射器保護ホルダー台部分であり安定して置けるようするための台の一例としたその正面平面図である。図５は、注射器保護ホルダー台部分の側面平面図である。
【００１４】
本発明に用いられるシリンジプランジャー固定部８は、シリンジプランジャー頭部を挟み込む構造をしたプラスチックまたは金属製の部材、あるいは、ギヤ式の部材であり、シリンジプランジャーを上下にスライドさせ、固定する部材である。ここで、シリンジプランジャーの引き上げ高さは調整可能である。また、シリンジプランジャーの取り付け、取り外しは容易なことが望ましい。
【００１５】
シリンジプランジャーをスライドさせる駆動方法は、ギヤ式、滑車式、ネジ式などの構造が望ましいが、これらに限定されるものではない。
【００１６】
本発明に用いられるシリンジ筒部の支持体９、密封容器の支持体１０は、シリンジ筒部、密封容器を挟み込む構造をしたプラスチックまたは金属製の部材であり、取り付け、取り外しの容易なものが望ましい。
【００１７】
本発明に用いられるホルダー支柱７は、シリンジ筒部２、洗浄液６の入った密封容器５を固定できるプラスチックまたは金属製の支柱であり、転倒しにくい構造であればよい。
【００１８】
本発明に用いられる洗浄液は、シリンジ筒部内に満たすことで、シリンジプランジャーの固化及びシリンジ筒部内の汚染を防止するもので、メタノール、エタノール、プロピルアルコール、ジクロロメタン、クロロホルム等の有機溶媒から１種あるいは２種以上を選択し、密封部材を通して揮発したとしても針穴が洗浄液に浸漬される量を密封容器に入れることが望ましい。
【００１９】
以下に、本発明の注射器保護ホルダーの組み立てから、注射器保管方法までの手順を詳細に述べる。まず、密封容器に洗浄液を入れ密封部材で密封する。次に、針先をこの密封部材に通し浸漬させながら、シリンジプランジャーを引き上げ、洗浄液をシリンジ筒部内にできるだけ多く吸引させた後、排出するといった動作を５回繰り返し、洗浄を終了とし、再度、洗浄液をシリンジ筒部内にできるだけ多く吸引する。この状態を保ちながら、注射器保護ホルダーの各ホルダー部に、密封容器、シリンジ筒部、シリンジプランジャーの順番で固定し設置すると良い。
【実施例】
【００２０】
＜実施例１＞
１０μｌの縦穴マイクロシリンジを使用し、メタノールで希釈された高濃度サンプルをサンプリングした後、本発明における注射器保護ホルダー（洗浄液としてクロロホルムを使用し、洗浄液をシリンジ筒部内に吸引しては排出する動作を５回繰り返した後、シリンジ筒部の１０μｌの目盛より上まで洗浄液を吸引した状態で、シリンジプランジャーを固定した。）を使用した状態で、１０日間室内放置した。その後、このマイクロシリンジの動作確認を行なったところ、シリンジプランジャーの固化はなく、動作良好であった。
【００２１】
＜比較例１＞
１０μｌの縦穴マイクロシリンジを使用し、メタノールで希釈された高濃度サンプルをサンプリングした後、クロロホルムをシリンジ筒部に吸引しては排出する動作を５回繰り返した後、シリンジプランジャーを押し下げた状態で１０日間室内放置した。その後、このマイクロシリンジの動作確認を行なったところ、シリンジプランジャーの固化が起き、動作不良となった。
【００２２】
本発明は、注射器を保管し再度使用する機会のある場合に、シリンジプランジャーが固化することなく、また、環境中の雑多な揮発性成分の汚染を防止することができる保護装置を提供可能である。
【図面の簡単な説明】
【００２３】
【図１】注射器の構成図である。
【図２】洗浄液の入った密封容器の構成図である。
【図３】本発明のホルダーの正面から見た平面図である。
【図４】注射器、密封容器、ホルダーが連結されたときの正面平面図である。
【図５】注射器、密封容器、ホルダーが連結されたときの側面平面図である。
【符号の説明】
【００２４】
１    シリンジプランジャー
２    シリンジ筒部
３    針先
４    密封部材
５    密封容器
６    洗浄液
７    ホルダー支柱
８    プランジャー固定部
９    シリンジ筒部の支持体
１０  密封容器の支持体
【図１】
2008082935.tif 000003
【図２】
2008082935.tif 000004
【図３】
2008082935.tif 000005
【図４】
2008082935.tif 000006
【図５】
2008082935.tif 000007